(57)【特許請求の範囲】
【請求項１】
入力された環境音信号の聴覚特性を推定する聴覚特性情報推定手段と、
入力された音信号の周波数特性を上記環境音信号の上記聴覚特性に近づける調整を行う音信号特性調整手段と、
上記環境音信号の所定の基準周波数における音圧値である環境特性に基づいて、上記音信号特性調整手段により調整された上記音信号の周波数特性成分の全体に対し利得を調整する環境特性調整手段と
を備えること特徴とする音信号調整装置。
【請求項２】
上記聴覚特性情報推定手段が、上記入力された環境音信号の音圧値に基づいて、上記環境音信号の聴覚特性を推定することを特徴とする請求項１に記載の音信号調整装置。
【請求項３】
上記聴覚特性情報推定手段が、
所定の複数の等ラウドネス曲線のそれぞれの音圧値の周波数特性を有する等ラウドネス曲線テーブルを有し、
上記等ラウドネス曲線テーブルから選択した、所定の基準周波数の音圧値を含む上記等ラウドネス曲線の各周波数の音圧値と、上記基準周波数の音圧値との差分値を、上記環境音信号の聴覚特性として推定する
ことを特徴とする請求項１又は２に記載の音信号調整装置。
【請求項４】
上記音信号特性調整手段が、上記環境音信号の聴覚特性に、入力された音信号の所定の基準周波数における音圧値を付与して得た上記環境音信号の補正聴覚特性の各周波数の音圧値と、上記音信号の各周波数の音圧値との比較結果に基づいて、上記音信号の周波数特性を調整することを特徴とする請求項１〜３のいずれかに記載の音信号調整装置。
【請求項５】
上記環境特性調整手段が、上記環境音信号の所定の基準周波数における音圧値と、上記音信号特性調整手段により調整された上記音信号の、前記所定の基準周波数の音圧値との差分値を前記利得とし、上記音信号の周波数特性成分の全体に対して前記利得を与えることを特徴とする請求項１〜４のいずれかに記載の音信号調整装置。
【請求項６】
コンピュータを、
入力された環境音信号の聴覚特性を推定する聴覚特性情報推定手段と、
入力された音信号の周波数特性を上記環境音信号の上記聴覚特性に近づける調整を行う音信号特性調整手段と、
上記環境音信号の所定の基準周波数における音圧値である環境特性に基づいて、上記音信号特性調整手段により調整された上記音信号の周波数特性成分の全体に対し利得を調整する環境特性調整手段と
して機能させること特徴とする音信号調整プログラム。
【請求項７】
環境音信号を取得するマイクロフォンと、
上記マイクロフォンから上記環境音信号を取得して、入力された音信号を調整する請求項１〜５のいずれかに記載の音信号調整装置である音信号調整手段と、
上記音信号調整手段により調整された音信号を出力するスピーカと
を備えることを特徴とする音響装置。
【発明の詳細な説明】
【技術分野】
【０００１】
本発明は、音信号調整装置、音信号調整プログラム及び音響装置に関し、例えば、聴収を抑制した音信号に調整する音信号調整装置、音信号調整プログラム及び音響装置に適用し得るものである。
【背景技術】
【０００２】
従来、音声出力を拡散させない方法として、特許文献１に記載のマスキング音を出力して周囲の受聴者への聴取を抑制させる方法がある。特許文献１の記載技術は、マスキングすべき出力音源の周囲にマスキング音を出力し、周囲の受聴者による出力音源の受聴を妨げるようにしている。
【先行技術文献】
【特許文献】
【０００３】
【特許文献１】特開平６−１７５６６６号公報
【発明の概要】
【発明が解決しようとする課題】
【０００４】
しかし、従来技術では、周囲の受聴者への聴取を抑制する方法として、マスキング音を発生させている。この場合、周囲の受聴者に不要な音声を聴取させることになり、周囲受聴者にとっては不快感が生じ得る。
【０００５】
そこで、周囲の受聴者に不快感を与えることなく、聴取を抑制した音信号に調整する音信号調整装置、音信号調整プログラム及び音響装置が求められている。
【課題を解決するための手段】
【０００６】
第１の本発明に係る音信号調整装置は、（１）入力された環境音信号の聴覚特性を推定する聴覚特性情報推定手段と、（２）入力された音信号の周波数特性を環境音信号の聴覚特性に近づける調整を行う音信号特性調整手段と、（３）環境音信号の所定の基準周波数における音圧値である環境特性に基づいて、音信号特性調整手段により調整された音信号の周波数特性成分の全体に対し利得を調整する環境特性調整手段とを備えること特徴とする。
【０００７】
第２の本発明に係る音信号調整プログラムは、コンピュータを、（１）入力された環境音信号の聴覚特性を推定する聴覚特性情報推定手段と、（２）入力された音信号の周波数特性を環境音信号の聴覚特性に近づける調整を行う音信号特性調整手段と、（３）環境音信号の所定の基準周波数における音圧値である環境特性に基づいて、音信号特性調整手段により調整された音信号の周波数特性成分の全体に対し利得を調整する環境特性調整手段として機能させること特徴とする。
【０００８】
第３本発明に係る音響装置は、（１）環境音信号を取得するマイクロフォンと、（２）マイクロフォンから環境音信号を取得して、入力された音信号を調整する第１の本発明に記載の音信号調整装置である音信号調整手段と、（３）音信号調整手段により調整された音信号を出力するスピーカとを備えることを特徴とする。
【発明の効果】
【０００９】
本発明によれば、周囲の受聴者に不快感を与えることなく、聴取を抑制できる。
【図面の簡単な説明】
【００１０】
【図１】実施形態に係る音声拡散抑制装置の構成を示す構成図である。
【図２】実施形態に係る音声調整装置の内部構成を示すブロック図である。
【図３】実施形態に係る等ラウドネス曲線からラウドネス補正値を算出する方法を説明する説明図である。
【図４】実施形態に係るラウドネス推定部におけるラウドネス補正値の推定処理を示すフローチャートである。
【図５】実施形態に係る特徴量調整部で入出力される信号の周波数特性を説明する説明図である。
【図６】実施形態に係る環境特性調整部で入出力される信号の周波数特性を説明する説明図である。
【発明を実施するための形態】
【００１１】
（Ａ）主たる実施形態
本発明に係る音信号調整装置、音信号調整プログラム及び音響装置の実施形態を、図面を参照しながら詳細に説明する。
【００１２】
ここで、「音信号」は、音声信号、音響信号等を含む概念である。この実施形態では、音信号が音声信号である場合を例示して説明する。
【００１３】
また、この実施形態では、本発明を利用して、音声拡散抑制装置の音声調整装置に適用する場合を例示して説明する。
【００１４】
（Ａ−１）実施形態の構成
図１は、実施形態に係る音声拡散抑制装置１０の構成を示す構成図である。
【００１５】
図１において、音声拡散抑制装置１０は、音声調整装置１００、スピーカ装置２００、マイク装置２０１を有する。
【００１６】
一般的な環境ではある程度の騒音が発生している。本発明は、このような騒音が発生している環境下で、出力音源が周囲環境音と似た特徴をもつ信号の場合、その出力音源は聞き取りづらくなる特性を用いている。
【００１７】
音声拡散抑制装置１０は、入力された入力信号ＳＩを出力信号として出力する際、マイク装置２０１近傍の環境音の特性を示す周囲環境信号ＮＩを取得し、その周囲環境信号ＮＩに近似する特性に調整した出力信号ＳＯを出力する。
【００１８】
スピーカ装置２００は、音声調整装置１００により環境音に近似する特性に調整された出力信号ＳＯに基づいて、音声を放出する。例えば、受聴者２０がスピーカ装置２００の近傍にいる場合には、受聴者２０はスピーカ装置２００から出力された音声を聴収できる。
【００１９】
マイク装置２０１は、当該マイク装置２０１の周囲の環境音を取得（捕捉）し、取得した環境音を周囲環境信号ＮＩ（電気信号）に変換して音声調整装置１００に出力する。この実施形態では、マイク装置２０１は、出力音声の聴取を希望しない受聴者３０が存在する近傍に配置する場合を例示する。
【００２０】
音声調整装置１００は、入力信号ＳＩと、周囲環境信号ＮＩとを入力し、後述する処理により、受聴者３０の周囲環境音によりマスキングされるような出力信号ＳＯをスピーカ装置２００に出力する。
【００２１】
ここで、音声調整装置１００に入力される入力信号ＳＩは、受聴者２０に聴取させたいが、受聴者３０には受聴させたくない音声である。入力信号ＳＩは、音声調整装置１００で処理され、出力信号ＳＯとして生成された後、スピーカ装置２００から放出される。当該放出された音声は、受聴者３０にも伝搬する可能性があるが、伝搬した音声が、受聴者３０の周囲環境音によりマスキングされるように音声調整装置１００で処理を施されるため、受聴者３０が当該音声を聴取することが困難となるようにしている。
【００２２】
図２は、実施形態に係る音声調整装置１００の内部構成を示すブロック図である。
【００２３】
図２において、音声調整装置１００は、周波数変換部１０１、聴覚特性情報推定手段としてのラウドネス推定部１０２、音信号特性調整手段としての特徴量調整部１０３、環境特性変換部１０４、環境特性調整手段としての環境特性調整部１０５、周波数逆変換部１０６を有する。
【００２４】
音声調整装置１００のハードウェア構成は、例えば、ＣＰＵ、ＲＯＭ、ＲＡＭ、ＥＥＰＲＯＭ、入出力インタフェース部等を有する装置や音信号を制御する専用チップなどとすることができる。例えば、ＣＰＵが、ＲＯＭに格納される音信号調整プログラムを実行することにより、実施形態に係る音信号調整処理が実現される。なお、音信号調整プログラムが、音声調整装置１００等のハードウェアにインストールされることによりシステム構築できるものであってもよい。その場合でも、音信号調整プログラムは図２に示すブロックとして機能するものとして表すことができる。
【００２５】
周波数変換部１０１は、入力信号ＳＩを入力し、当該入力信号ＳＩを周波数変換して得た入力周波数信号ＳＦｘを特徴量調整部１０３に出力する。
【００２６】
ラウドネス推定部１０２は、マイク装置２０１からの周囲環境信号ＮＩに基づいて、環境音の聴覚特性としてのラウドネス補正値を推定し、推定したラウドネス補正値を含む特徴調整情報ＬＦｘを特徴量調整部１０３に出力する。
【００２７】
特徴量調整部１０３は、ラウドネス推定部１０２からの特徴調整情報ＬＦｘに基づいて、入力周波数信号ＳＦｘの周波数成分を調整し、ラウドネス調整信号ＬＳｘを環境特性調整部１０５に出力する。
【００２８】
環境特性変換部１０４は、マイク装置２０１からの周囲環境信号ＮＩを入力し、当該周囲環境信号ＮＩを周波数変換して得た環境特性信号ＮＦｘを環境特性調整部１０５に出力する。
【００２９】
環境特性調整部１０５は、環境特性変換部１０４からの環境特性信号ＮＦｘに基づいて、ラウドネス調整信号ＬＳｘの周波数成分を調整し、環境特性調整信号ＮＳｘを周波数逆変換部１０６に出力する。
【００３０】
周波数逆変換部１０６は、環境特性調整部１０５からの環境特性調整信号ＮＳｘを逆周波数変換により時間領域の信号に変換し、出力信号ＳＯをスピーカ装置２００に出力する。
【００３１】
（Ａ−２）実施形態の動作
次に、実施形態に係る音声調整装置１００における音信号調整処理の動作を、図面を参照しながら詳細に説明する。
【００３２】
入力信号ＳＩは、周波数変換部１０１で周波数領域に変換され、周波数領域に変換された入力周波数信号ＳＦｘは、特徴量調整部１０３に出力される。なお、当該周波数領域への変換方法は、既存技術を広く適用でき、公知のＦＦＴ法を用いてよい。
【００３３】
また、周囲環境信号ＮＩは、マイク装置２０１により、音声拡散を抑制する環境の環境雑音が取得される。当該周囲環境信号ＮＩは、ラウドネス推定部１０２に出力され、ラウドネス推定部１０２はラウドネス補正値を推定する。ラウドネスは、音の聴覚的な強さを示すものである。
【００３４】
次に、ラウドネス補正値の推定処理を図３及び図４を参照しながら説明する。
【００３５】
図３は、実施形態に係る等ラウドネス曲線からラウドネス補正値を算出する方法を説明する説明図である。図４は、実施形態に係るラウドネス推定部１０２におけるラウドネス補正値の推定処理を示すフローチャートである。
【００３６】
ラウドネス補正値は、マイク装置２０１周囲の周囲環境音と同じ大きさに聞こえる周波数特性であり、基準周波数を０ｄＢとした相対的な値である。
【００３７】
図４において、ラウドネス推定部１０２では、マイク装置２０１で入力される周囲環境信号ＮＩの音圧レベルＰｎを推定する（ステップＳ１）。ここで、周囲環境信号ＮＩの音圧レベルＰｎの推定は、マイク装置２０１の特性に基づいて予め設計しておく。
【００３８】
次に、ラウドネス推定部１０２は、周囲環境信号ＮＩの音圧レベルＰｎと、基準周波数Ｆｆにおける等ラウドネス曲線の音圧レベルとが一致する等ラウドネス曲線を選択する（ステップＳ２）。ラウドネス推定部１０２は、選択した等ラウドネス曲線において、各周波数成分における音圧レベルＰｎと、基準周波数Ｆｆにおける音圧レベルとの差分を計算する（ステップＳ３）。ラウドネス推定部１０２は、各周波数成分における音圧レベルＰｎと、基準周波数Ｆｆにおける音圧レベルとの差分値を特徴量調整部１０３に出力する（ステップＳ４）。
【００３９】
ここで、この実施形態では、例えば基準周波数Ｆｆを１ｋＨｚとする場合を例示して説明する。しかし、基準周波数Ｆｆは、１ｋＨｚに限らず、他の周波数であってもよいし、動的な周波数値であってもかまわない。例えば、周囲環境信号ＮＩを公知の自己相関関数を用いて一定間隔で計算し、当該自己相関関数の最大遅延量から計算された周波数を基準周波数Ｆｆとしてもよい。
【００４０】
上記周波数成分毎の音圧レベルの差分値の算出方法を、図３を用いて例示する。
【００４１】
ここで、等ラウドネス曲線は、ラウドネスのレベルごとに、周波数の変化に基づいて、ヒトが感覚的に同じラウドネスレベルで聴収することを物理的に計測して得られる音圧レベルの変化を示す曲線である。
【００４２】
等ラウドネス曲線は、図３（Ａ）のように複数の周波数特性を列挙した表に置き換えられる。図３（Ａ）は、行方向に周波数成分（Ｆ１、Ｆ２、…、Ｆｆ、…Ｆｎ、…）として等ラウドネス曲線（ａ１、ａ２、ａ３、…ａｎ、…）の各周波数成分の音圧レベルを列挙したものである。
【００４３】
ラウドネス推定部１０２は、例えば図３（Ａ）に例示するような、基準周波数Ｆｆにおける各等ラウドネス曲線の音圧レベル（例えば、等ラウドネス曲線ａ１の場合、ａ１（ｆ１）、ａ１（ｆ２）、…、ａ１（ｆｆ）、…等）から、周囲環境信号ＮＩの音圧レベルＰｎに一致する等ラウドネス曲線を選択する（図３（Ｂ）参照）。図３（Ｂ）では、等ラウドネス曲線ａｎが選択されたものとしている。
【００４４】
ラウドネス推定部１０２は、当該等ラウドネス曲線ａｎの各周波数成分における音圧レベル（ａｎ（ｆ１）、ａｎ（ｆ２）、…、ａｎ（ｆｆ）、…）のそれぞれと、基準周波数Ｆｆにおける音圧レベルａｎ（Ｆｆ）との差分を計算し、音圧レベルの差分値Ｄｎは図３（Ｃ）のようになる。したがって、基準周波数Ｆｆでの音圧レベル差は０ｄＢとなる。
【００４５】
上記のようにして計算して得られた当該音圧レベルの差分値Ｄｎをラウドネス補正値する。なお、当該差分値Ｄｎは、後述する図５（Ｂ）に例示する周波数特性に相当する。
【００４６】
ここで、この実施形態では、図３（Ａ）に例示する等ラウドネス曲線は、国際標準化規格ＩＳＯ２２６：２００３に示される等ラウドネス曲線を用いる場合を例示している。しかし、当該等ラウドネス曲線は、マイク装置２０１、スピーカ装置２００の周波数特性を考慮して、変更してもかまわない。また、取得した周囲環境信号ＮＩの音圧レベルＰｎよりも等ラウドネス曲線の音圧レベルが大きい場合、音圧レベル差の値は正数となり、取得した周囲環境信号ＮＩの音圧レベルＰｎよりも等ラウドネス曲線の音圧レベルが小さい場合、音圧レベル差の値は負数となる。これによりスピーカ装置２００から出力される音声を周囲の環境音と同等の聞こえ方（ラウドネス）とすることにより、マイク装置２０１で、当該出力された音声をマスキングすることができる。ラウドネス推定部１０２は、上記のようにして推定したラウドネス補正値を特徴調整情報ＬＦｘとして特徴量調整部１０３に出力する。
【００４７】
次に、特徴量調整部１０３での周波数成分の調整方法を、図５を用いて説明する。
【００４８】
図５は、実施形態に係る特徴量調整部１０３で入出力される信号の周波数特性を説明する説明図である。
【００４９】
特徴量調整部１０３には、入力周波数信号ＳＦｘと特徴調整情報ＬＦｘとが入力される。特徴量調整部１０３では、入力周波数信号ＳＦｘの周波数成分をＳＦｎ＝｛ＳＦ１、ＳＦ２、…｝、基準周波数Ｆｆにおける周波数成分を基準ゲインＳＦ（Ｆｆ）、特徴調整情報ＬＦｘの周波数成分ＬＦｎ＝｛ＬＦ１、ＬＦ２、…｝として、周波数ごとに次のように調整する。
【００５０】
特徴量調整部１０３は、特徴調整情報ＬＦｘの周波数成分ＬＦｎの値に基準周波数Ｆｆにおける基準ゲインＳＦ（Ｆｆ）の値を加算した値（ＳＦ（Ｆｆ）＋ＬＦｎ）と、入力周波数信号ＳＦｘの周波数成分ＳＦｎの値とを比較して、その比較結果に応じて、入力周波数信号ＳＦｘの周波数成分ＳＦｎの値を調整する。
【００５１】
ＳＦｎ≦（ＳＦ（Ｆｆ）＋ＬＦｎ）を満たす場合、特徴量調整部１０３は、入力周波数信号ＳＦｘの周波数成分ＳＦｎの値の調整を実施しない。つまり、特徴量調整部１０３は、入力周波数信号ＳＦｘの周波数成分ＳＦｎの値を、ラウドネス調整信号ＬＳｘの周波数成分ＬＳｎの値（すなわち、ＬＳｎ＝ＳＦｎ）として出力する。
【００５２】
ＳＦｎ＞（ＳＦ（Ｆｆ）＋ＬＦｎ）を満たす場合、特徴量調整部１０３は、入力周波数信号ＳＦｘの周波数成分ＳＦｎの値を調整する。つまり、特徴量調整部１０３は、特徴調整情報ＬＦｘの周波数成分ＬＦｎの値に基準周波数Ｆｆにおける基準ゲインＳＦ（Ｆｆ）の値を加算した値（ＳＦ（Ｆｆ）＋ＬＦｎ）を、ラウドネス調整信号ＬＳｘの周波数成分ＬＳｎの値（すなわち、ＬＳｎ＝（ＳＦ（Ｆｆ）＋ＬＦｎ））となるように調整して出力する。
【００５３】
図５（Ａ）は、入力周波数信号ＳＦｘの周波数特性を示す説明図であり、図５（Ｂ）は、特徴調整情報ＬＦｘの周波数特性を示す説明図である。
【００５４】
図５（Ｃ）において、実線は図５（Ａ）の入力周波数信号ＳＦｘの周波数成分の特性を示しており、点線は、特徴調整情報ＬＦｘの周波数成分の値に、基準周波数Ｆｆにおける基準ゲインＳＦ（Ｆｆ）の値を加算したときの特性（すなわち、ＳＦ（Ｆｆ）＋ＬＦｎ）を示している。
【００５５】
特徴量調整部１０３は、図５（Ｃ）に示すように、入力周波数信号ＳＦｘの周波数成分の特性（実線）と、特徴調整情報ＬＦｘの周波数成分の値に、基準周波数Ｆｆにおける基準ゲインＳＦ（Ｆｆ）の値を加算したときの特性（点線）との比較により、図５（Ｄ）に示すようなラウドネス調整信号ＬＳｘの周波数特性を環境特性調整部１０５に出力する。
【００５６】
なお、図５（Ａ）の周波数成分が、当該調整により、図５（Ｄ）の実線の特性となる。ただし、当該抑制量は、出力信号ＳＯがスピーカ装置２００から出力される音声の周波数特性に合わせて、変更してかまわない。
【００５７】
環境特性変換部１０４では、周囲環境信号ＮＩの基準周波数Ｆｆの周波数成分を取得し、環境特性信号ＮＦｘとして出力する。この実施形態では、周囲環境信号ＮＩを公知のＦＦＴ法により周波数変換したのち、基準周波数Ｆｆの成分ＮＳ（Ｆｆ）を環境特性信号ＮＦｘとしている。すなわち、図６（Ｂ）の基準周波数Ｆｆにおける周波数成分が環境特性信号ＮＦｘとなる。ただし、当該環境特性信号ＮＦｘの取得方法は、上記方法に限定しない。例えば、上記方法で取得した周波数成分ＮＳ（Ｆｆ）に、スピーカ装置２００から出力される音声の周波数特性を考慮した係数を加算するようにしてもよい。すなわち、周囲環境信号ＮＩをスピーカ装置２００から出力した場合にマイク装置２０１の周囲の音と同じ周波数特性となるように周波数特性変換係数を加算し、この結果を環境特性信号ＮＦｘとしてもよい。また、基準周波数Ｆｆは、ラウドネス推定部１０２で使用する基準周波数Ｆｆと同じで、この実施形態では１ｋＨｚとしている。
【００５８】
図６は、実施形態に係る環境特性調整部１０５で入出力される信号の周波数特性を説明する説明図である。
【００５９】
環境特性調整部１０５には、ラウドネス調整信号ＬＳｘと、環境特性信号ＮＦｘとが入力される。
【００６０】
環境特性調整部１０５では、基準周波数Ｆｆにおける、ラウドネス調整信号ＬＳｘの周波数成分の値と入力される環境特性信号ＮＦｘの周波数成分の値とが、同程度の大きさとなるように、ラウドネス調整信号ＬＳｘ全体を増幅し、これを環境特性調整信号ＮＳｘとして周波数逆変換部１０６に出力する。
【００６１】
図６（Ａ）は、ラウドネス調整信号ＬＳｘの周波数特性を示す説明図であり実線がラウドネス調整信号ＬＳｘの周波数特性を示している。なお図６（Ａ）に示されるラウドネス調整信号ＬＳｘは、上述した図５（Ｄ）に示されるものと同一である。
【００６２】
図６（Ｂ）は、環境特性信号ＮＦｘの周波数特性を示す図面である。
【００６３】
環境特性調整部１０５は、図６（Ｃ）に示すように、基準周波数Ｆｆにおけるラウドネス調整信号ＬＳｘの周波数成分ＬＳ（Ｆｆ）の値と、基準周波数Ｆｆにおける環境特性信号ＮＦｘの周波数成分ＮＦ（Ｆｆ）の値との差分値を増幅量Ａとする。
【００６４】
すなわち、環境特性調整部１０５は、増幅量Ａ＝ＮＦ（Ｆｆ）−ＬＳ（Ｆｆ）の値を計算し、ラウドネス調整信号ＬＳｘの全体（すなわち、ラウドネス調整信号ＬＳｘの各周波数成分の値）に増幅量Ａを加算（増幅）する。
【００６５】
環境特性調整部１０５による上記調整により、図６（Ａ）の実線で示すラウドネス調整信号ＬＳｘの周波数特性は、図６（Ｄ）の実線で示す環境特性調整信号ＮＳｘの周波数特性に調整されて出力される。
【００６６】
ただし、当該増幅量Ａの決定方法は、出力信号ＳＯがスピーカ装置２００から出力される特性に合わせて、変更してかまわない。また、ラウドネス調整信号ＬＳｘの基準周波数Ｆｆの成分と入力される環境特性信号ＮＦｘとが、一致する判定においても、この限りでなく、例えば、ＬＳ（Ｆｆ）±３ｄＢ以内である場合を一致すると判定してもよい。さらに、一致ではなく、ラウドネス調整信号ＬＳｘの基準周波数Ｆｆにおける周波数成分ＬＳ（Ｆｆ）が環境特性信号ＮＦｘを超えないとしてもよい。
【００６７】
さらに、この実施形態の環境特性調整部１０５では、ラウドネス調整信号ＬＳｘの全体に増幅量Ａを加える場合を例示した。しかし、例えば、基準周波数Ｆｆ以上の周波数成分のみ増幅量Ａを加えるようにしてもよく、結果として、出力信号ＳＯがスピーカ装置２００から出力される特性が適切となるように調整できればよい。
【００６８】
環境特性調整部１０５は、上記調整を実施した信号を環境特性調整信号ＮＳｘとし、周波数逆変換部１０６に出力する。周波数逆変換部１０６では、環境特性調整信号ＮＳｘが周波数領域から時間領域へ変換され、出力信号ＳＯとしてスピーカ装置２００に出力する。
【００６９】
出力音声の拡散を抑制するために、マスキング音を使用せず、出力音声を抑制する周囲の環境音に近い成分にすることで、聴感的に音声聴取をしづらくし、出力音声を抑制する周囲に別の音声を出力させることなく、出力音声の拡散を抑制することが可能となる。また、この実施形態では、入力周波数信号ＳＦｘに対し、特徴量調整部１０３、環境特性調整部１０５の順に適用したが、当該適用順序を逆としても、効果に影響はない。
【００７０】
（Ａ−３）実施形態の効果
以上のように、この実施形態によれば、出力音声の拡散を抑制するために、マスキング音を使用せず、出力音声を抑制する周囲の環境音に近い成分にすることで、聴感的に音声聴取をしづらくし、出力音声を抑制する周囲に別の音声を出力させることなく、出力音声の拡散を抑制することが可能となる。
【００７１】
（Ｂ）他の実施形態
上述した実施形態においても種々の変形実施形態を言及したが、本発明は、以下の実施形態にも適用できる。
【００７２】
上述した実施形態では、本発明が音声調整装置である場合を例示した。しかし、本発明は、例えば、システム、方法、プログラムもしくは記憶媒体等としての実施態様をとることが可能である。具体的には、複数の機器から構成されるシステムに適用しても良いし、また、１つの機器からなる装置及び当該装置に搭載されるプログラムに適用しても良い。
【００７３】
上述した実施形態では、マイク装置が１個である場合を例示した。しかし、複数個のマイク装置を備えておき、複数のマイク装置からの環境音信号の音圧レベルを考慮して環境音特性を算出するようにしてもよい。
【００７４】
上述した実施形態において、音声拡散抑圧装置に入力する入力信号は、例えば、録音された音信号であってもよいし、接続されている通信回線を通じて受信した音信号であってもよい。また、別個に設けられたマイク装置が取得した音信号であってもよい。
【符号の説明】
【００７５】
１０…音声拡散抑制装置、２００…スピーカ装置、２０１…マイク装置、
１００…音声調整装置、１０１…周波数変換部、１０２…ラウドネス推定部、１０３…特徴量調整部、１０４…環境特性変換部、１０５…環境特性調整部、１０６…周波数逆変換部。
【図１】
0006690285.tif 000002
【図２】
0006690285.tif 000003
【図３】
0006690285.tif 000004
【図４】
0006690285.tif 000005
【図５】
0006690285.tif 000006
【図６】
0006690285.tif 000007